(57)【要約】【課題】生産性、取扱い性に優れ、しかも、設置作業性に優れた鳥獣害防止具を提供すること。【解決手段】曲げ変形可能な帯板部１と、この帯板部１の長手方向の両側縁にそれぞれ、一体に設けられた複数の刺部２とを備えた鳥獣害防止具１０において、各刺部２を帯板部１の板面に対し斜めに起立させた。【選択図】図１
2020130072.tif 000002
【特許請求の範囲】
【請求項１】
曲げ変形可能な帯板部と、
前記帯板部の長手方向の両側縁にそれぞれ、一体に設けられた複数の刺部と、
を備え、
前記各刺部が前記帯板部の板面に対し斜めに起立していることを特徴とした鳥獣害防止具。
【請求項２】
前記刺部が前記帯板部の両側縁に互い違いに設けられている請求項１に記載の鳥獣害防止具。
【請求項３】
前記刺部が外周側へ向いた状態で前記帯板部が芯材に巻回されていることを特徴とした請求項１または請求項２に記載の鳥獣害防止具。
【発明の詳細な説明】
【技術分野】
【０００１】
本発明は、鳥獣害防止具、より詳しくは、例えば猿、猪、鹿等による農作地等への侵入被害や樹木の食害、鳥類による住居のべランダ等の糞害等を防ぐための鳥獣害防止具に関するものである。
【背景技術】
【０００２】
従来、農作地や果樹園への猿、猪等の侵入被害を防ぐための侵入防止具として、例えば下記特許文献１に記載のものが提案されている。この侵入防止具は、板材や筒材等の長尺部材の表面に多数の針状突起を設けたものであり、これを農作地等を囲う柵の上部に設置することにより、猿が柵の上部に手を掛けて柵を乗り越えることを防ぎ、また、柵の下部に設置することにより、猪等が地面を掘って柵を潜り抜けることを防ぐものである。
【０００３】
また、従来、住居のベランダ等における鳥類による糞害等を防ぐための鳥害防止具として、例えば、下記特許文献２に記載のものが提案されている。この鳥害防止具もまた、長尺部材等の表面に多数の針状突起を設けたものであり、これをベランダの手摺り等に設置することにより、飛来した鳥類が其処に止まったり、営巣したりすることを防ぐものである。
【０００４】
しかしながら、これらの鳥獣害防止具は、生産時に多数の針状突起を一本ずつ長尺部材の表面に立設する必要があり、生産性に劣る難点があった。さらに、これら鳥獣害防止具は、多数の針状突起を有することから、その搬送時や保管時に嵩張って無駄なスペースをとり、取扱い性に難点があった。
【０００５】
また、従来、人工林や天然林の樹木の幹や枝等が、鹿、兎等により食害されるのを防ぐ食害防止具として、下記特許文献３に記載のものが提案されている。この食害防止具は、可撓性帯板の長手方向の片側縁に鋸歯状突起を多数並設したものであり、可撓性帯板を樹木の幹等に巻き付け、鋸歯状突起を外側へ折り曲げて設置するものである。
【０００６】
しかしながら、この食害防止具は、設置時において、多数の鋸歯状突起を一つずつ折り曲げて外側へ突出させる起立作業を行う必要があり、設置作業に手間がかかる難点があった。
【先行技術文献】
【特許文献】
【０００７】
【特許文献１】特開２００９−２４０２９５号公報
【特許文献２】特開昭５７−１９２１７５号公報
【特許文献３】実公平２−４４６８７号公報
【発明の概要】
【発明が解決しようとする課題】
【０００８】
本発明は、従来の鳥獣害防止具に上記のような難点があったことに鑑みて為されたもので、生産性、取扱い性に優れ、しかも、設置作業性に優れた鳥獣害防止具を提供することを課題とする。
【課題を解決するための手段】
【０００９】
本発明は、曲げ変形可能な帯板部と、前記帯板部の長手方向の両側縁にそれぞれ、一体に設けられた複数の刺部とを備え、前記各刺部が前記帯板部の板面に対し斜めに起立していることを特徴としている。
【００１０】
また、本発明は、前記刺部が前記帯板部の両側縁に互い違いに設けられていることを特徴としている。
【００１１】
また、本発明は、前記刺部が外周側へ向いた状態で前記帯板部が芯材に巻回されていることを特徴としている。
【発明の効果】
【００１２】
本発明に係る鳥獣害防止具は、帯板部の両側縁にそれぞれ、一体に複数の刺部が設けられ、各刺部が帯板部に対し予め起立しているので、設置時に多数の刺部を折り曲げて突出させる起立作業を行う必要がなく、設置作業性に優れている。
【００１３】
また、本発明に係る鳥獣害防止具は、曲げ変形可能な帯板部の両側縁に刺部が斜めに起立しているので、芯材の外周に、巻き崩れの恐れなく安定に巻回することができ、搬送時や保管時に嵩張って無駄なスペースをとることもなく、取扱い性に優れている。
【００１４】
また、本発明に係る鳥獣害防止具は、帯板部の両側縁に一体に設けられた複数の刺部を帯板部に対し起立させるだけで生産することができるので、従来品のように生産時に多数の針状突起を一本ずつ立設する必要もなく、生産性に優れている。
【図面の簡単な説明】
【００１５】
【図１】本実施形態の鳥獣害防止具の部分斜視図である。
【図２】本実施形態の鳥獣害防止具の正面図である。
【図３】本実施形態の鳥獣害防止具の部分平面図である。
【図４】本実施形態の鳥獣害防止具を芯材に巻回した状態を示す側面図である。
【図５】本実施形態の鳥獣害防止具を芯材に巻回した状態を示す模式断面図である。
【図６】本実施形態の鳥獣害防止具の設置状態を示す部分斜視図である。
【図７】本実施形態の鳥獣害防止具の他の設置状態を示す部分斜視図である。
【図８】本発明に係る他の実施形態の鳥獣害防止具の部分平面図である。
【図９】本発明に係る更に他の実施形態の鳥獣害防止具の部分平面図である。
【発明を実施するための形態】
【００１６】
図１〜図３に示すように本実施形態の鳥獣害防止具１０は、曲げ変形可能な長尺の帯板部１と、この帯板部１の長手方向の両側縁にそれぞれ、一体に設けられた複数の刺部２とから構成されている。これら帯板部１及び刺部２は、金属板材により一体に形成されており、弾性変形させることができ、また、必要に応じて塑性変形させることができる。
【００１７】
本実施形態の刺部２は、二等辺三角形状を成し、各刺部２の先端部２１が鋭角を成している。そして、帯板部１の各側縁において、各刺部２の基端部２２とその隣りの刺部２の基端部２２とが互いに接した状態で、多数の刺部２が並設されている。各刺部２の基端部２２同士が接する部分に谷部２３が形成されている。
【００１８】
また、図２に示すように、各刺部２は、予め帯板部１に対し折り曲げ加工されており、帯板部１の板面に対し斜めに起立している。本実施形態では、各刺部２の帯板部１に対する傾斜角度θを６０度としているが、この傾斜角度θは、鳥獣害の種類、設置場所等に応じて変更可能である。
【００１９】
また、図３に示すように、各刺部２は、帯板部１の両側縁に互い違いに設けられている。即ち、帯板部１の一方の側縁に並設された各刺部２の基端部２２と、他方の側縁に並設された各刺部２の基端部２２とが、帯板部１の長手方向に、基端部２２の長さの半分だけ位置ずれしている。このことで、本実施形態の鳥獣害防止具１０は、帯板部１の両側縁の谷部２３間を結ぶ複数の斜めの仮想線Ｌ付近で、帯板部１を曲げることができ、鳥獣害防止具１０全体を長手方向で曲げ変形させることができる。
【００２０】
したがって、本実施形態の鳥獣害防止具１０は、図４に示すように、各刺部２を外周側へ向けた状態で、帯板部１を紙管等の芯材３の外周面に巻回することができる。帯板部１は、位置ずれした谷部２３間を結ぶ斜めの仮想線Ｌ付近で曲がり易いため、図５に示すように、芯材３に巻回されて層を成す帯板部１同士の間には隙間Ｓが生じることなる。しかしながら、本実施形態の鳥獣害防止具１０は、帯板部１の両側縁において刺部２が斜めに起立しているため、これら刺部２により帯板部１の横ずれを防ぐことができ、鳥獣害防止具１０を芯材３に、巻き崩れの恐れなく安定に多層巻きすることができる。
【００２１】
図６に示すように、本実施形態の鳥獣害防止具１０は、帯板部１を真直ぐ伸ばした状態で、例えば農作地を囲う柵の上部の横架材Ｂに、釘等の不図示の固定手段により固定して設置することができる。この設置により、猿が柵を乗り越えようと柵上部に手を掛けた際に、刺部２により猿に刺痛を与えることができ、農作地等への侵入を防ぐことができる。また、鳥獣害防止具１０を柵の下部に設置すれば、猪等が地面を掘って柵を潜り抜けるのを防ぐことができ、住宅のベランダ等に設置すれば、鳥類の糞害等を防ぐことができる。本実施形態の鳥獣害防止具１０は、柵の横桟等の横架材だけでなく、柱材や壁材にも設置可能である。
【００２２】
また、図７に示すように、本実施形態の鳥獣害防止具１０は、帯板部１を曲げながら、例えば樹木Ｔの幹に巻き付けて設置することもできる。この設置によって、猿が樹木Ｔの幹を登ることを防ぐことができ、また、鹿等が樹木Ｔの樹皮等を食べる食害を防ぐことができる。帯板部１は、斜めの仮想線Ｌ付近で曲がり易いため、本実施形態の鳥獣害防止具１０を樹木Ｔに容易に螺旋状に巻き付けることができる。勿論、鳥獣害防止具１０を、樹木Ｔの周面に円環状に巻き付けることも可能である。
【００２３】
このように、本実施形態の鳥獣害防止具１０は、多数の刺部２が、予め帯板部１に対し折り曲げ加工され、帯板部１の板面に対し起立しているので、鳥獣害防止具１０をそのまま、柵や樹木等に設置することができる。従来品のように設置時に多数の突起を一つずつ折り曲げて外側へ突出させる起立作業を行う必要もなく、設置作業性に優れている。
【００２４】
しかも、本実施形態の鳥獣害防止具１０は、曲げ変形可能な帯板部１の両側縁において刺部２が斜めに起立しているので、鳥獣害防止具１０を芯材３の外周に、巻き崩れの恐れなく安定に巻回することができる。従来品のように、搬送時や保管時に嵩張って無駄なスペースをとることもなく、取扱い性に優れている。
【００２５】
さらに、本実施形態の鳥獣害防止具１０は、帯板部１の両側縁に一体に設けられた複数の刺部２を帯板部１に対し起立させるだけで生産することができるので、例えば金属板材の打抜き加工及び曲げ加工等により量産することが可能であり、従来品のように生産時に多数の針状突起を一本ずつ立設する必要もなく、生産性に優れている。
【００２６】
以上、本実施形態の鳥獣害防止具１０について説明したが、本発明は他の実施形態でも実施することができる。
【００２７】
例えば、図８に示す鳥獣害防止具２０のように、帯板部４の両側縁に各刺部５を、帯板部４を挟んで対称的に設けてもよい。この鳥獣害防止具２０によれば、帯板部４の長手方向と直交する仮想線Ｍ付近で帯板部４を曲げ易くすることができる。
【００２８】
また、図９に示す鳥獣害防止具３０のように、帯板部６の両側縁に各刺部７を、隣り合う刺部７同士の間に間隔をあけて設けてもよい。この鳥獣害防止具３０によれば、帯板部６の曲げ方向の自由度をより向上させることができる。
【００２９】
また、上記実施形態では、帯板部の両側縁に、同じ二等辺三角形状の刺部を多数並設しているが、互いに異なる形状の刺部を並設してもよい。鳥獣害の種類、設置場所等に応じて種々の設計変更が可能である。
【００３０】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【符号の説明】
【００３１】
１０、２０、３０  鳥獣害防止具
１、４、６  帯板部
２、５、７  刺部
３  芯材
【図１】
2020130072.tif 000003
【図２】
2020130072.tif 000004
【図３】
2020130072.tif 000005
【図４】
2020130072.tif 000006
【図５】
2020130072.tif 000007
【図６】
2020130072.tif 000008
【図７】
2020130072.tif 000009
【図８】
2020130072.tif 000010
【図９】
2020130072.tif 000011
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
曲げ変形可能な帯板部と、
前記帯板部の長手方向の両側縁にそれぞれ、一体に設けられた複数の刺部と、
を備え、
前記各刺部が前記帯板部の板面に対し斜めに起立しており、
搬送時や保管時に前記刺部が外周側へ向いた状態で前記帯板部が芯材に多層巻きされていることを特徴とした鳥獣害防止具。
【請求項２】
前記刺部が前記帯板部の両側縁に互い違いに設けられている請求項１に記載の鳥獣害防止具。
【手続補正２】
【補正対象書類名】明細書
【補正対象項目名】０００９
【補正方法】変更
【補正の内容】
【０００９】
本発明は、曲げ変形可能な帯板部と、前記帯板部の長手方向の両側縁にそれぞれ、一体に設けられた複数の刺部とを備え、前記各刺部が前記帯板部の板面に対し斜めに起立しており、搬送時や保管時に前記刺部が外周側へ向いた状態で前記帯板部が芯材に多層巻きされていることを特徴としている。
【手続補正３】
【補正対象書類名】明細書
【補正対象項目名】００１１
【補正方法】削除
【補正の内容】